(57)【要約】【課題】自然でリアリティのある石積み調外観を形成しやすい建築板を提供する。【解決手段】複数の短冊状の柄部３０が基板２０の表面に形成され、不規則な凹凸柄３１が前記柄部３０の表面に形成される建築板に関する。隣り合う前記柄部３０は傾斜角度が互いに異なって形成される。隣り合う前記柄部３０の端部同士は接合されている。前記端部同士の接合部分には、前記凹凸柄３１の深さ寸法Ｄと同等又はそれ以下の厚み寸法Ｈを有する区切り部が形成されている。【選択図】図１
2015086607.tif 000002
【特許請求の範囲】
【請求項１】
複数の短冊状の柄部が基板の表面に形成され、不規則な凹凸柄が前記柄部の表面に形成される建築板であって、隣り合う前記柄部は傾斜角度が互いに異なって形成され、隣り合う前記柄部の端部同士は接合されており、前記端部同士の接合部分には、前記凹凸柄の深さ寸法と同等又はそれ以下の厚み寸法を有する区切り部が形成されていることを特徴とする建築板。
【請求項２】
複数の短冊状の柄部が基板の表面に形成され、不規則な凹凸柄が前記柄部の表面に形成される建築板であって、隣り合う前記柄部は傾斜角度が互いに異なって形成され、隣り合う前記柄部の端部同士は接合されており、前記端部同士の接合部分には、形状の異なる端部同士により少なくとも一部が基板の厚み方向に位置ずれした区切り部が形成されていることを特徴とする建築板。
【請求項３】
前記端部同士の接合部分には、幅寸法が０．３〜５．０ｍｍの区切り溝が形成されていることを特徴とする請求項１又は２に記載の建築板。
【請求項４】
複数の前記柄部は前記基板の長手方向と短手方向とに並べて形成され、前記基板の長手方向で隣り合う前記柄部はその長手端部同士が接合されており、前記基板の短手方向で隣り合う前記柄部の短手端部の間には、前記区切り部の最下位置よりも深い目地状溝が形成されていることを特徴とする請求項１乃至３のいずれか一項に記載の建築板。
【請求項５】
複数の前記柄部により断面台形状の台形凸部が形成され、他の複数の前記柄部により断面山形状の山形凸部が形成され、前記台形凸部と前記山形凸部とが不規則に配置されていることを特徴とする請求項１乃至４のいずれか一項に記載の建築板。
【発明の詳細な説明】
【技術分野】
【０００１】
本発明は、外壁材等として用いられる建築板に関する。
【背景技術】
【０００２】
従来、窯業系の建築板として、複数の石やタイルやレンガが積み上げられたような外観、いわゆる石積み調外観を有するものが提案されている（特許文献１参照）。このような建築板１０は、図９のように、複数の短冊状の柄部３０が基板２０の表面に形成されており、また各柄部３０の表面に不規則な凹凸柄が形成されている。柄部３０は凹凸柄により石やタイルといった素材に似せて形成されている。また複数の柄部３０は基板２０の長手方向と短手方向の両方に並んで形成されている。基板２０の長手方向で隣り合う柄部３０の間には目地状溝６０が形成されている。また基板２０の短手方向で隣り合う柄部３０の間にも目地状溝６０が形成されている。図１０のように、目地状溝６０は底面と二つの側面とで形成される箱溝や二つの側面で形成されるＶ溝などで形成されている。
【先行技術文献】
【特許文献】
【０００３】
【特許文献１】登録意匠第１０５５００２号公報
【発明の概要】
【発明が解決しようとする課題】
【０００４】
しかし、上記のような建築板では、隣り合う柄部が目地状溝により個々に分断されており、自然でリアリティのある石積み調外観を形成しにくかった。
【０００５】
本発明は上記の点に鑑みてなされたものであり、自然でリアリティのある石積み調外観を形成しやすい建築板を提供することを目的とするものである。
【課題を解決するための手段】
【０００６】
本発明に係る建築板は、複数の短冊状の柄部が基板の表面に形成され、不規則な凹凸柄が前記柄部の表面に形成される建築板であって、隣り合う前記柄部は傾斜角度が互いに異なって形成され、隣り合う前記柄部の端部同士は接合されており、前記端部同士の接合部分には、前記凹凸柄の深さ寸法と同等又はそれ以下の厚み寸法を有する区切り部が形成されていることを特徴とする。
【０００７】
本発明に係る建築板は、複数の短冊状の柄部が基板の表面に形成され、不規則な凹凸柄が前記柄部の表面に形成される建築板であって、隣り合う前記柄部は傾斜角度が互いに異なって形成され、隣り合う前記柄部の端部同士は接合されており、前記端部同士の接合部分には、形状の異なる端部同士により少なくとも一部が基板の厚み方向に位置ずれした区切り部が形成されていることを特徴とする。
【０００８】
本発明にあっては、前記端部同士の接合部分には、幅寸法が０．３〜５．０ｍｍの区切り溝が形成されていることが好ましい。
【０００９】
本発明にあっては、複数の前記柄部は前記基板の長手方向と短手方向とに並べて形成され、前記基板の長手方向で隣り合う前記柄部はその長手端部同士が接合されており、前記基板の短手方向で隣り合う前記柄部の短手端部の間には、前記区切り部の最下位置よりも深い目地状溝が形成されていることが好ましい。
【００１０】
本発明にあっては、複数の前記柄部により断面台形状の台形凸部が形成され、他の複数の前記柄部により断面山形状の山形凸部が形成され、前記台形凸部と前記山形凸部とが不規則に配置されていることが好ましい。
【発明の効果】
【００１１】
本発明は、隣り合う前記柄部は傾斜角度が互いに異なって形成され、隣り合う前記柄部の端部同士は接合されており、前記端部同士の接合部分には、前記凹凸柄の深さ寸法と同等又はそれ以下の高さ寸法を有する区切り部が形成されているので、前記柄部の表面の不規則な凹凸柄と、前記区切り部と、傾斜角度の異なる複数の前記柄部により多彩な意匠を形成することができ、自然でリアリティーのある石積み調外観を形成しやすいものである。
【図面の簡単な説明】
【００１２】
【図１】本発明の実施の形態の一例を示す正面図である。
【図２】本発明の実施の形態の一例を示し、（ａ）及び（ｂ）は断面図である。
【図３】本発明の実施の形態の一例を示し、一部の断面図である。
【図４】本発明の実施の形態の一例を示し、一部が破断した斜視図である。
【図５】本発明の実施の形態の一例を示し、一部の断面図である。
【図６】本発明の実施の形態の一例を示し、一部の断面図である。
【図７】本発明の実施の形態の一例を示し、一部の断面図である。
【図８】本発明の実施の形態の一例を示し、一部の断面図である。
【図９】従来例を示す正面図である。
【図１０】従来例を示す一部の断面図である。
【発明を実施するための形態】
【００１３】
以下、本発明を実施するための形態を説明する。
【００１４】
本実施の形態の建築板１０は、図１のように、基板２０の表面の全面にわたって、複数の柄部３０を設けて形成されている。柄部３０は、例えば、折り紙をモチーフにして形成されるものである。これにより、建築板１０に対する陽光の当たり方に変化がつき、多彩で繊細な質感を表現することができる。
【００１５】
基板２０はいわゆる窯業系基板であって、セメント、パルプ、骨材、水などを含有するセメント組成物の硬化物である。基板２０は抄造法や押出成形法などで形成される。基板２０は正面視で矩形に形成されている。基板２０の長手端部には、相じゃくり等で接合するための実部が形成されていてもよい。なお、基材は窯業系基板に限られるものではなく、金属系、樹脂系であってもよく、また、外装材、内装材、屋根材などに用いるものが考えられる。
【００１６】
柄部３０は正面視において短冊状に形成されている。複数の柄部３０は基板２０の長手方向の全長にわたって並ぶように形成されている。複数の柄部３０は基板２０の短手方向の全長にわたって並ぶように形成されている。本明細書において、「全長」とは厳密な意味での全長だけでなく、ほぼ全長である場合も含む。正面視における柄部３０の長手方向は基板２０の短手方向と平行となるように形成されている。正面視における柄部３０の短手方向は基板２０の長手方向と平行となるように形成されている。本明細書において、「平行」とは厳密な意味での平行だけでなく、ほぼ平行である場合も含む。全部の柄部３０の長手方向の寸法は一定に形成されている。本明細書において、「一定」とは厳密な意味での一定だけでなく、ほぼ一定であればよい。正面視における柄部３０の長手方向の寸法は、例えば、３．０〜９０．０ｍｍに形成されている。正面視における柄部３０の短手方向の寸法は一定ではなく、例えば、２０．０〜３００．０ｍｍの範囲で適宜に形成されている。柄部３０は、例えば、硬化前の基板２０の表面に成形型をプレスして形成される。
【００１７】
柄部３０の表面は凹凸に形成されており、これにより凹凸柄３１が形成されている。凹凸柄３１は不規則な形状である。すなわち、凹凸柄３１は規則正しい形状ではなく、不定形であって、様々な形状や厚み寸法に形成されている。このような凹凸柄３１により柄部３０は石やタイルやレンガのような外観に形成される。凹凸柄３１には形状の異なる複数種のものがあり、隣り合う柄部３０の凹凸柄３１の種類は互いに異なっていることが好ましい。凹凸柄３１の深さ寸法は一定ではなく、例えば、０．５〜７．０ｍｍの範囲で適宜に形成されている。
【００１８】
図２（ａ）及び（ｂ）のように、基板２０の長手方向において隣り合う柄部３０は、その長手端部同士が全長にわたって接合されている（突きつけられている）。また基板２０の長手方向において隣り合う柄部３０は、その表面の傾斜角度Ｋ１、Ｋ２が互いに異なって形成されている。この場合、柄部３０の表面の傾斜角度Ｋ１、Ｋ２は、図３のように、基板２０の平坦な裏面（柄部３０が形成された表面と反対側の面）２１に対する垂線Ｐを想定し、隣り合う柄部３０の正面視における境界線Ｍを通る垂線Ｐと、この垂線Ｐに隣接する柄部３０の表面との間の角度で規定される。このように隣り合う柄部３０の表面の傾斜角度Ｋ１、Ｋ２が互いに異なって形成されているので、各柄部３０が自然な石のような外観に形成することができる。図２（ａ）及び（ｂ）は、基板２０を長手方向と平行な方向に切断した場合の断面図であって、図２（ａ）と図２（ｂ）は切断位置が異なる。
【００１９】
隣り合う柄部３０の長手端部同士の接合部分には区切り部４０が形成されている。図４のように、隣り合う柄部３０において、一方の柄部３０１の長手端部の長辺３０２と他方の柄部３０３の長辺端部の長辺３０４とは全長にわたって完全に一致するものではなく、長辺３０２と長辺３０４とは一部又は全部が互いに上記垂線と平行な方向（基板２０の厚み方向）で位置ずれしている。すなわち、隣り合う柄部３０において、一方の柄部３０１の長手端部の形状と、他方の柄部３０３の長手端部の形状とが互いに異なっており、特に、一方の柄部３０の長手端部の厚みと、他方の長手端部の厚みとが互いに異なっているので、長辺３０２と長辺３０４とは一部又は全部が互いに上記垂線と平行な方向で位置ずれしている。従って、長辺３０２が長辺３０４よりも接合部分の表面に突出している場合は、柄部３０１の長手端部が長辺３０４よりも表面側に突出し、柄部３０１の長手端面が露出している。逆に、長辺３０４が長辺３０２よりも接合部分の表面に突出している場合は、柄部３０３の長手端部が長辺３０２よりも表面側に突出し、柄部３０３の長手端面が露出している。このように柄部３０１の長手端部が長辺３０４よりも表面側に突出している部分と、柄部３０３の長手端部が長辺３０２よりも表面側に突出している部分とが区切り部４０として形成されている。長辺３０２と長辺３０４とが全長にわたって位置ずれしている場合は、隣り合う柄部３０１，３０３の長手端部同士の接合部分の全長にわたって区切り部４０が形成される。長辺３０２と長辺３０４とが部分的に位置ずれしている場合は、隣り合う柄部３０１，３０３の長手端部同士の接合部分の全長に沿って、複数の区切り部４０が断続的に形成される。このように隣り合う柄部３０１，３０３の長手端部同士は、その少なくとも一部が基板２０の厚み方向で互いに位置ずれすることにより、区切り部４０が形成される。
【００２０】
図５のように、区切り部４０の厚み寸法Ｈは、凹凸柄３１の深さ寸法Ｄと同等であるか、あるいは凹凸柄３１の深さ寸法よりも小さく形成されている。ここで、区切り部４０の厚み寸法Ｈとは、隣り合う柄部３０の境界線Ｍから区切り部４０の先端までの寸法である。区切り部４０は一定の厚み寸法Ｈではない場合は、最も厚み寸法Ｈが大きい部分が、凹凸柄３１の深さ寸法Ｄと同等あるいは凹凸柄３１の深さ寸法Ｄよりも小さく形成される。また凹凸柄３１の深さ寸法Ｄは、その区切り部４０を形成している柄部３０に形成される凹凸柄３１であって、最も凹んだ凹部分（凹柄３１１）の底面と最も突出した凸部分（凸柄３１２）の先端との間の寸法である。
【００２１】
そして、上記のような区切り部４０を形成することによって、基板２０の長手方向において、複数の柄部３０が不規則に並んで形成されることになり、自然でリアリティのある石積み調外観を形成しやすいものである。
【００２２】
図６のように、基板２０の長手方向において隣り合う柄部３０の長手端部同士の接合部分には、区切り溝５０が形成されていることが好ましい。特に、基板２０の長手方向において隣り合う柄部３０の表面の傾斜角度Ｋ１、Ｋ２の差が小さい場合（傾斜角度の差が０〜７０°（０°を含まず））又は区切り部４０の厚み寸法Ｈが小さい場合（厚み寸法が０〜７．０ｍｍ（０ｍｍを含まず））には、区切り溝５０を設けるのが好ましい。区切り溝５０は、基板２０の長手方向において隣り合う柄部３０の長手端部同士の接合部分の境界線Ｍに沿って形成されるものである。区切り溝５０は、境界線Ｍの全長にわたって連続的に設けても良いし、境界線Ｍの全長にわたって断続的に設けても良い。区切り溝５０の幅寸法は０．３〜５．０ｍｍに形成することができる。この幅寸法の範囲で区切り溝５０を形成すると、区切り溝５０が極端に目立つことがなく、自然な石積み調が損なわれにくくなる。また区切り溝５０の深さ寸法は０．３〜３．０ｍｍに形成することができる。この深さ寸法の範囲で区切り溝５０を形成すると、区切り溝５０が極端に目立つことがなく、自然な石積み調が損なわれにくくなる。
【００２３】
図７のように、基板２０の短手方向において隣り合う柄部３０の短手端部の間には、目地状溝６０が形成されていることが好ましい。目地状溝６０は基板２０の長手方向の全長にわたって連続して設けられている。目地状溝６０は区切り部４０の最下位置（境界線Ｍの位置）よりも深く形成されている。すなわち、目地状溝６０の底面６１は区切り部４０の最下位置（境界線Ｍの位置）よりも深い位置に形成されている。これにより、自然でリアリティのある石積み調が強調されることになる。目地状溝６０の深さ寸法は、特に限定されないが、２．０〜７．０ｍｍであることが好ましい。
【００２４】
上記のような建築板１０において、複数の柄部３０により断面台形状の台形凸部３２を形成し、他の複数の柄部３０により断面山形状の山形凸部３３を形成し、複数の台形凸部３２と複数の山形凸部３３とを基板２０の表面に不規則に配置して形成するのが好ましい。これにより、自然でリアリティのある石積み調が強調されることになる。例えば、図８のものは、３つの柄部３２０、３２１、３２２で台形凸部３２が形成されている。また、２つの柄部３３０、３３１で山形凸部３３が形成されている。
【符号の説明】
【００２５】
１０  建築板
２０  基板
３０  柄部
３１  凹凸柄
３２  台形凸部
３３  山形凸部
４０  区切り部
５０  区切り溝
６０  目地状溝
Ｋ１  傾斜角度
Ｋ２  傾斜角度
【図２】
2015086607.tif 000003
【図３】
2015086607.tif 000004
【図４】
2015086607.tif 000005
【図５】
2015086607.tif 000006
【図６】
2015086607.tif 000007
【図７】
2015086607.tif 000008
【図８】
2015086607.tif 000009
【図１０】
2015086607.tif 000010
【図１】
2015086607.tif 000011
【図９】
2015086607.tif 000012